(57)【特許請求の範囲】
【請求項１】
信号伝送装置であって、前記信号伝送装置は、複数のダウンリンク共通チャンネル信号を有するダウンリンク信号を伝送し、前記信号伝送装置は、
前記複数のダウンリンク共通チャンネル信号における１つのダウンリンク共通チャンネル信号を、Ｎ個のグループのグループ化された信号に分割する信号分割ユニットであって、Ｎはグループ化された信号のグループの数を表しており、かつ、Ｎ≧２である、信号分割ユニットと、
前記１つのダウンリンク共通チャンネル信号からＮ個の第１重み付け信号を生成するべく、前記Ｎ個のグループのグループ化された信号における各グループのグループ化された信号に対応する重みベクトルに従って、前記各グループのグループ化された信号に対して、信号重み付けを実行する信号重み付けユニットであって、前記重みベクトルは、各グループのグループ化された信号の複数の振幅及び複数の位相を調整するために用いられ、これにより、前記Ｎ個の第１重み付け信号は、広ビーム形成条件を満たす、信号重み付けユニットと、
第２重み付け信号を取得するべく、前記Ｎ個のグループのグループ化された信号に対応し、かつ前記１つのダウンリンク共通チャンネル信号から生成された前記Ｎ個の第１重み付け信号を合成する信号合成ユニットと、
伝送ユニットであって、前記伝送ユニットは、並列するｋ個の無線周波数サブユニットを有し、前記伝送ユニットは、前記第２重み付け信号を伝送し、ｋは無線周波数サブユニットの数を表しており、かつ、ｋ≧２である、伝送ユニットと
を備える
装置。
【請求項２】
前記重みベクトルは、前記ｋ個の無線周波数サブユニットに対応する複数の成分を有し、
前記信号重み付けユニットがＮ個の第１重み付け信号を生成することは、前記ｋ個の無線周波数サブユニットに対応するｋ本のチャンネルの第１重み付けサブ信号を含むＮ個の第１重み付け信号を生成することを含む、
請求項１に記載の装置。
【請求項３】
前記ｋ本のチャンネルの第１重み付けサブ信号が少なくとも１本のチャンネルの有効第１重み付けサブ信号を含み、前記有効第１重み付けサブ信号は、有効成分を含み、前記有効成分は、重みベクトルにおけるゼロ以外の成分又は予め設定された閾値より大きい成分を含む、
請求項２に記載の装置。
【請求項４】
前記無線周波数サブユニットは、前記第２重み付け信号に含まれる第２重み付けサブ信号を転送する、
請求項１から３のいずれか一項に記載の装置。
【請求項５】
前記信号分割ユニットが、前記複数のダウンリンク共通チャンネル信号における１つのダウンリンク共通チャンネル信号を、Ｎ個のグループのグループ化された信号に分割することは、
前記Ｎ個のグループのグループ化された信号を取得するべく、前記１つのダウンリンク共通チャンネル信号により占有されるサブキャリアの数に従って、前記１つのダウンリンク共通チャンネル信号に対して周波数領域分割を実行することを含む、
請求項１から４のいずれか一項に記載の装置。
【請求項６】
前記信号分割ユニットが、前記複数のダウンリンク共通チャンネル信号における１つのダウンリンク共通チャンネル信号を、Ｎ個のグループのグループ化された信号に分割することは、
前記１つのダウンリンク共通チャンネル信号に対して位相偏向をＮ回実行することを含み、ここで、毎回位相偏向を実行した後に取得されるダウンリンク共通チャンネル信号が、１つのグループのグループ化された信号として用いられ、これにより、前記Ｎ個のグループのグループ化された信号を取得する、
請求項１から４のいずれか一項に記載の装置。
【請求項７】
前記第２重み付け信号に対して、アナログ化処理を実行し、取得されたアナログ信号を前記伝送ユニットに送信するデジタル／アナログ変換ユニットをさらに備える請求項１から６のいずれか一項に記載の装置。
【請求項８】
ユーザ機器であって、
基地局により送信される第２重み付け信号を受信する受信ユニットであって、前記第２重み付け信号は、Ｎ個の第１重み付け信号を合成することによって取得され、前記Ｎ個の第１重み付け信号は、複数のダウンリンク共通チャンネル信号における１つのダウンリンク共通チャンネル信号をＮ個のグループにグループ化された信号へと分割することによって取得された信号に対応し、Ｎはグループ化された信号のグループの数を表しており、かつ、Ｎ≧２であり、前記Ｎ個の第１重み付け信号は、前記１つのダウンリンク共通チャンネル信号からの前記Ｎ個のグループのグループ化された信号における各グループのグループ化された信号に対応する重みベクトルに従って、前記重みベクトルに対応する前記各グループのグループ化された信号に対して、信号重み付けを実行することによって取得され、前記重みベクトルは、各グループのグループ化された信号の複数の振幅及び複数の位相を調整するために用いられ、これにより、前記第１重み付け信号は広ビーム形成条件を満たす、受信ユニットと、
前記第２重み付け信号により含まれるシステム情報を取得する処理ユニットと
を備える
ユーザ機器。
【請求項９】
マルチアンテナシステムに適用されるダウンリンク信号伝送方法であって、
前記マルチアンテナシステムは、並列するｋ個の無線周波数経路を含み、ｋは、無線周波数経路の数を表しており、かつ、ｋ≧２であり、
前記方法は、ダウンリンク信号を伝送するために用いられ、前記ダウンリンク信号は、複数のダウンリンク共通チャンネル信号を含み、前記方法は、
前記複数のダウンリンク共通チャンネル信号における１つのダウンリンク共通チャンネル信号を、Ｎ個のグループのグループ化された信号に分割する段階であって、Ｎはグループ化された信号のグループの数を表しており、かつ、Ｎ≧２である、段階と、
前記１つのダウンリンク共通チャンネル信号からＮ個の第１重み付け信号を生成するべく、前記Ｎ個のグループのグループ化された信号における各グループのグループ化された信号に対応する重みベクトルに従って、前記各グループのグループ化された信号に対して、信号重み付けを実行する段階であって、前記重みベクトルは、各グループのグループ化された信号の複数の振幅及び複数の位相を調整するために用いられ、これにより、前記Ｎ個の第１重み付け信号は広ビーム形成条件を満たす、段階と、
第２重み付け信号を取得するべく、前記Ｎ個のグループのグループ化された信号に対応し、かつ前記１つのダウンリンク共通チャンネル信号から生成された前記Ｎ個の第１重み付け信号を合成する段階と、
前記第２重み付け信号を伝送する段階と
を備える
方法。
【請求項１０】
前記重みベクトルは、前記ｋ個の無線周波数経路に対応する複数の成分を含み、前記Ｎ個の第１重み付け信号を生成する前記段階は、前記ｋ個の無線周波数経路に対応するｋ本のチャンネルの第１重み付けサブ信号を含むＮ個の第１重み付け信号を生成する段階を含む、請求項９に記載の方法。
【請求項１１】
前記ｋ本のチャンネルの第１重み付けサブ信号が少なくとも１本のチャンネルの有効第１重み付けサブ信号を含み、前記有効第１重み付けサブ信号は、有効成分を含み、前記有効成分は、前記重みベクトルにおけるゼロ以外の成分又は予め設定された閾値より大きい成分を含む、
請求項１０に記載の方法。
【請求項１２】
前記第２重み付け信号を伝送する前記段階は、
対応する無線周波数経路を用いることによって、前記第２重み付け信号に含まれる第２重み付けサブ信号を転送する段階を含む、
請求項９から１１のいずれか一項に記載の方法。
【請求項１３】
前記複数のダウンリンク共通チャンネル信号における１つのダウンリンク共通チャンネル信号を、Ｎ個のグループのグループ化された信号に分割する前記段階は、
前記Ｎ個のグループのグループ化された信号を取得するべく、前記１つのダウンリンク共通チャンネル信号に占有されるサブキャリアの数に従って、前記１つのダウンリンク共通チャンネル信号に対して、周波数領域分割を実行する段階を含む、
請求項９から１２のいずれか一項に記載の方法。
【請求項１４】
前記複数のダウンリンク共通チャンネル信号における１つのダウンリンク共通チャンネル信号を、Ｎ個のグループのグループ化された信号に分割する前記段階は、
前記１つのダウンリンク共通チャンネル信号に対して、位相偏向をＮ回実行する段階であって、毎回位相偏向を実行した後に取得されるダウンリンク共通チャンネル信号が１つのグループのグループ化された信号として用いられ、これにより、前記Ｎ個のグループのグループ化された信号を取得する、段階を含む、
請求項９から１２のいずれか一項に記載の方法。
【請求項１５】
前記第２重み付け信号を伝送する前記段階の前に、前記第２重み付け信号に対して、アナログ化処理を実行する段階をさらに備える請求項９から１４のいずれか一項に記載の方法。
【発明の詳細な説明】
【技術分野】
【０００１】
本発明の複数の実施形態は、複数の通信技術分野に関し、特に、信号伝送装置及びダウンリンク信号伝送方法に関する。
【背景技術】
【０００２】
ユーザ機器（ＵＥ、ｕｓｅｒ  ｅｑｕｉｐｍｅｎｔ）の益々高まるデータ伝送速度に対する要求を満たすため、多入力多出力（ＭＩＭＯ、ｍｕｌｔｉｐｌｅ‐ｉｎｐｕｔ  ｍｕｌｔｉｐｌｅ‐ｏｕｔｐｕｔ）技術が、第３世代（３Ｇ、ｔｈｅ  ３ｒｄ  ｇｅｎｅｒａｔｉｏｎ）及び次世代通信システムにおいて広く用いられている。マルチアンテナ技術が、そのＭＩＭＯ技術の重要な構成部分である。
【０００３】
複数の異なる信号の伝送に対する複数の要望に適応するように、複数の異なる形状及び方向の複数のビームが、そのマルチアンテナ技術を用いて伝送されるべき信号に対して重み付け処理を実行することによって、空間に形成され得る。例えば、広ビーム及び狭ビームが、ビーム幅分割を介して形成され得、広ビームは、ダウンリンク共通チャンネル信号などのダウンリンク信号を伝送するために用いられ得る。広ビームが用いられる場合、複数のビーム伝送利得が小さく、特に比較的大規模のアンテナ配列のマルチアンテナシステムにおいては、複数の伝送される信号のカバレッジが制限される。
【発明の概要】
【０００４】
本発明の複数の実施形態は、信号伝送装置及びダウンリンク共通チャンネル信号伝送方法を提供し、それらは複数のビーム伝送利得を増加させ、信号カバレッジ能力を向上させることができる。
【０００５】
第１態様によれば、本発明の実施形態は、複数のダウンリンク共通チャンネル信号を含むダウンリンク信号を伝送するよう構成される信号伝送装置を提供し、当該信号伝送装置は、その複数のダウンリンク共通チャンネル信号における１つのダウンリンク共通チャンネル信号を、Ｎ個のグループの複数のグループ化された信号に分割するよう構成される信号分割ユニットであって、Ｎはグループ化された信号のグループの数を表しており、かつ、Ｎ≧２である、信号分割ユニットと、Ｎ個の第１重み付け信号を生成するべく、Ｎ個のグループのグループ化された信号における各グループのグループ化された信号に対応する重みベクトルに従って、そのグループのグループ化された信号に対して、信号重み付けを実行するよう構成される信号重み付けユニットであって、重みベクトルは各グループのグループ化された信号の複数の振幅及び複数の位相を調整するために用いられ、これにより、そのＮ個の第１重み付け信号は、広ビーム形成条件を満たす、信号重み付けユニットと、第２重み付け信号を取得するべく、Ｎ個のグループのグループ化された信号に対応するＮ個の第１重み付け信号を合成するよう構成される信号合成ユニットと、並列するｋ個の無線周波数サブユニットを有し、その第２重み付け信号を伝送するよう構成される伝送ユニットであって、ｋは無線周波数サブユニットの数を表しており、かつ、ｋ≧２である、伝送ユニットとを備える。
【０００６】
第１態様の第１の可能な実装方式では、重みベクトルは、ｋ個の無線周波数サブユニットに対応する複数の成分を含み、信号重み付けユニットがＮ個の第１重み付け信号を生成するよう構成されることは、ｋ個の無線周波数サブユニットに対応するｋ本のチャンネルの第１重み付けサブ信号を含むＮ個の第１重み付け信号を生成することを含む。
【０００７】
第１態様の第１の可能な実装方式に関連して、第１態様の第２の可能な実装方式では、信号重み付けユニットが、ｋ個の無線周波数サブユニットに対応するｋ本のチャンネルの重み付けサブ信号を含むＮ個の第１重み付け信号を生成するよう構成されることは、ｋ本のチャンネルの第１重み付けサブ信号が少なくとも１本のチャンネルの有効第１重み付けサブ信号を含み、その有効第１重み付けサブ信号は、有効成分を含み、その有効成分は、重みベクトルにおけるゼロ以外の成分又は予め設定された閾値より大きい成分を含むことを含む。
【０００８】
第１態様、又は第１態様の第１の可能な実装方式、若しくは第１態様の第２の可能な実装方式に関連して、第１態様の第３の可能な実装方式では、無線周波数サブユニットは、第２重み付け信号に含まれる第２重み付けサブ信号を転送するよう構成される。
【０００９】
先述の複数の可能な実装方式のうちいずれか１つに関連して、第１態様の第４の可能な実装方式では、信号分割ユニットが、複数のダウンリンク共通チャンネル信号における１つのダウンリンク共通チャンネル信号を、Ｎ個のグループのグループ化された信号に分割するよう構成されることは、Ｎ個のグループのグループ化された信号を取得するべく、その１つのダウンリンク共通チャンネル信号により占有されるサブキャリアの数に従って、その１つのダウンリンク共通チャンネル信号に対して、周波数領域分割を実行することを含む。
【００１０】
第１態様、又は第１態様の第１の可能な実装方式、若しくは第１態様の第２の可能な実装方式、或いは第１態様の第３の可能な実装方式に関連して、第１態様の第５の可能な実装方式では、信号分割ユニットが、複数のダウンリンク共通チャンネル信号における１つのダウンリンク共通チャンネル信号を、Ｎ個のグループのグループ化された信号に分割するよう構成されることは、その１つのダウンリンク共通チャンネル信号に対して、位相偏向をＮ回実行することを含み、ここで、毎回位相偏向を実行した後に取得されるダウンリンク共通チャンネル信号が、１つのグループのグループ化された信号として用いられ、これにより、Ｎ個のグループのグループ化された信号を取得する。
【００１１】
第１態様の先述の複数の実装方式のうちいずれか１つに関連して、第１態様の第６の可能な実装方式では、装置は、第２重み付け信号に対してアナログ化処理を実行し、その取得されたアナログ信号を伝送ユニットに送信するよう構成されるデジタル／アナログ変換ユニットをさらに備える。
【００１２】
第２態様によれば、本発明の実施形態は、複数のダウンリンク共通チャンネル信号を含むダウンリンク信号伝送するよう構成される信号伝送装置を提供し、当該信号伝送装置は、メモリと、プロセッサと、伝送回路とを備え、伝送回路は、並列するｋ個の無線周波数経路を含み、ｋは無線周波数経路の数を表しており、かつ、ｋ≧２であり、メモリは、プロセッサが複数の動作を実行することを可能にする複数の命令を格納するよう構成され、その複数の動作は、複数のダウンリンク共通チャンネル信号における１つのダウンリンク共通チャンネル信号を、Ｎ個のグループのグループ化された信号に分割することであって、Ｎはグループ化された信号のグループの数を表しており、かつ、Ｎ≧２であること、第１重み付け信号を生成するべく、Ｎ個のグループのグループ化された信号における各グループのグループ化された信号に対応する重みベクトルに従って、そのグループのグループ化された信号に対して、信号重み付けを実行することであって、その重みベクトルは、各グループのグループ化された信号の複数の振幅及び複数の位相を調整するために用いられ、これにより、Ｎ個の第１重み付け信号は広ビーム形成条件を満たすこと、第２重み付け信号を取得するべく、Ｎ個のグループのグループ化された信号に対応するＮ個の第１重み付け信号を合成すること、及びその第２重み付け信号を伝送することである。
【００１３】
第２態様の第１の可能な実装方式では、重みベクトルは、ｋ個の無線周波数経路に対応する複数の成分を含み、メモリは、ｋ個の無線周波数経路に対応するｋ本のチャンネルの第１重み付けサブ信号を含むＮ個の第１重み付け信号を生成する動作をプロセッサが実行することを可能にする命令を格納するようさらに構成される。
【００１４】
第２態様の第１の可能な実装方式に関連して、第２態様の第２の可能な実装方式では、メモリは、ｋ本のチャンネルの第１重み付けサブ信号が少なくとも１本のチャンネルの有効第１重み付けサブ信号を含み、その有効第１重み付けサブ信号が、有効成分を含み、その有効成分が、重みベクトルにおけるゼロ以外の成分又は予め設定された閾値より大きい成分を含む動作をプロセッサが実行することを可能にする命令を格納するようさらに構成される。
【００１５】
第２態様、又は第２態様の第１の可能な実装方式、若しくは第２態様の第２の可能な実装方式に関連して、第２態様の第３の可能な実装方式では、無線周波数経路は、第２重み付け信号に含まれる第２重み付けサブ信号を転送するよう構成される。
【００１６】
先述の複数の可能な実装方式のうちいずれか１つに関連して、第２態様の第４の可能な実装方式では、メモリは、Ｎ個のグループのグループ化された信号を取得するべく、１つのダウンリンク共通チャンネル信号により占有されるサブキャリアの数に従って、１つのダウンリンク共通チャンネル信号に対して周波数領域分割を実行する動作をプロセッサが実行することを可能にする命令を格納するようさらに構成される。
【００１７】
第２態様、又は第２態様の第１の可能な実装方式、若しくは第２態様の第２の可能な実装方式、或いは第２態様の第３の可能な実装方式に関連して、第２態様の第５の可能な実装方式では、メモリは、１つのダウンリンク共通チャンネル信号に対して、位相偏向をＮ回実行する動作をプロセッサが実行することを可能にする命令を格納するようさらに構成され、ここで、毎回位相偏向を実行した後に取得されるダウンリンク共通チャンネル信号が、１つのグループのグループ化された信号として用いられ、これにより、Ｎ個のグループのグループ化された信号を取得する。
【００１８】
先述の複数の可能な実装方式のうちいずれか１つに関連して、第２態様の第５の可能な実装方式では、装置は、第２重み付け信号に対してアナログ化処理を実行し、取得されたアナログ信号を伝送回路に送信するよう構成されるデジタル／アナログ信号コンバータをさらに備える。
【００１９】
第３態様によれば、本発明の実施形態は、基地局により送信される第２重み付け信号を受信するよう構成される受信ユニットであって、第２重み付け信号は、Ｎ個の第１重み付け信号を合成することによって取得され、Ｎ個の第１重み付け信号は、Ｎ個のグループのグループ化された信号に対応し、Ｎ個のグループのグループ化された信号は、複数のダウンリンク共通チャンネル信号における１つのダウンリンク共通チャンネル信号を分割することによって取得され、Ｎはグループ化された信号のグループの数を表しており、かつ、Ｎ≧２であり、Ｎ個の第１重み付け信号は、Ｎ個のグループのグループ化された信号における各グループのグループ化された信号に対応する重みベクトルに従って、重みベクトルに対応するグループのグループ化された信号に対して、信号重み付けを実行することによって取得され、重みベクトルは、各グループのグループ化された信号の複数の振幅及び複数の位相を調整するために用いられ、これにより、第１重み付け信号は広ビーム形成条件を満たす、受信ユニットと、第２重み付け信号により保持されるシステム情報を取得する処理ユニットとを備えるユーザ機器を提供する。
【００２０】
第４態様によれば、本発明の実施形態は、基地局により送信される第２重み付け信号を受信するよう構成される受信機であって、第２重み付け信号は、Ｎ個の第１重み付け信号を合成することによって取得され、Ｎ個の第１重み付け信号は、Ｎ個のグループのグループ化された信号に対応し、Ｎ個のグループのグループ化された信号は、複数のダウンリンク共通チャンネル信号における１つのダウンリンク共通チャンネル信号を分割することによって取得され、Ｎはグループ化された信号のグループの数を表しており、かつ、Ｎ≧２であり、Ｎ個の第１重み付け信号は、Ｎ個のグループのグループ化された信号における各グループのグループ化された信号に対応する重みベクトルに従って、重みベクトルに対応するグループのグループ化された信号に対して、信号重み付けを実行することによって取得され、重みベクトルは、各グループのグループ化された信号の複数の振幅及び複数の位相を調整するために用いられ、これにより、第１重み付け信号は広ビーム形成条件を満たす、受信機と、ダウンリンク信号により保持されるシステム情報を取得するプロセッサとを備えるユーザ機器を提供する。
【００２１】
第５態様によれば、本発明の実施形態は、マルチアンテナシステムに適用されるダウンリンク信号伝送方法を提供し、当該マルチアンテナシステムは、並列するｋ個の無線周波数経路を含み、ｋは、無線周波数経路の数を表しており、かつ、ｋ≧２であり、当該方法は、ダウンリンク信号を伝送するために用いられ、ダウンリンク信号は、複数のダウンリンク共通チャンネル信号を含み、当該方法は、ダウンリンク共通チャンネル信号における１つのダウンリンク共通チャンネル信号を、Ｎ個のグループのグループ化された信号に分割する段階であって、Ｎはグループ化された信号のグループの数を表しており、かつ、Ｎ≧２である、段階と、Ｎ個の第１重み付け信号を生成するべく、Ｎ個のグループのグループ化された信号における各グループのグループ化された信号に対応する重みベクトルに従って、そのグループのグループ化された信号に対して信号重み付けを実行する段階であって、重みベクトルは、各グループのグループ化された信号の複数の振幅及び複数の位相を調整するために用いられ、これにより、Ｎ個の第１重み付け信号は広ビーム形成条件を満たす、段階と、第２重み付け信号を取得するべく、Ｎ個のグループのグループ化された信号に対応するＮ個の第１重み付け信号を合成する段階と、その第２重み付け信号を伝送する段階とを備える。
【００２２】
第５態様の第１の可能な実装方式では、重みベクトルは、ｋ個の無線周波数経路に対応する複数の成分を含み、Ｎ個の第１重み付け信号を生成する段階は、ｋ個の無線周波数経路に対応するｋ本のチャンネルの第１重み付けサブ信号を含むＮ個の第１重み付け信号を生成する段階を含む。
【００２３】
第５態様の第１の可能な実装方式に関連して、第５態様の第２の可能な実装方式では、ｋ個の無線周波数経路に対応するｋ本のチャンネルの第１重み付けサブ信号を含むＮ個の第１重み付け信号を生成する段階は、ｋ本のチャンネルの第１重み付けサブ信号が少なくとも１本のチャンネルの有効第１重み付けサブ信号を含み、その有効第１重み付けサブ信号が有効成分を含み、その有効成分が重みベクトルにおけるゼロ以外の成分又は予め設定された閾値より大きい成分を含む段階を含む。
【００２４】
第５態様、又は第５態様の第１の可能な実装方式、若しくは第５態様の第２の可能な実装方式に関連して、第５態様の第３の可能な実装方式では、第２重み付け信号を伝送する段階は、対応する無線周波数経路を用いて、第２重み付け信号に含まれる第２重み付けサブ信号を転送する段階を含む。
【００２５】
先述の複数の可能な実装方式のうちいずれか１つに関連して、第５態様の第４の可能な実装方式では、複数のダウンリンク共通チャンネル信号における１つのダウンリンク共通チャンネル信号を、Ｎ個のグループのグループ化された信号に分割する段階は、Ｎ個のグループのグループ化された信号を取得するべく、１つのダウンリンク共通チャンネル信号により占有されるサブキャリアの数に従って、１つのダウンリンク共通チャンネル信号に対して、周波数領域分割を実行する段階を含む。
【００２６】
第５態様、又は第５態様の第１の可能な実装方式、若しくは第５態様の第２の可能な実装方式、或いは第５態様の第３の可能な実装方式に関連して、第５態様の第５の可能な実装方式では、複数のダウンリンク共通チャンネル信号における１つのダウンリンク共通チャンネル信号を、Ｎ個のグループのグループ化された信号に分割する段階は、１つのダウンリンク共通チャンネル信号に対して位相偏向をＮ回実行する段階であって、毎回位相偏向を実行した後に取得されるダウンリンク共通チャンネル信号が１つのグループのグループ化された信号として用いられ、これにより、Ｎ個のグループのグループ化された信号を取得する、段階を含む。
【００２７】
先述の複数の可能な実装方式のうちいずれか１つに関連して、第５態様の第６の可能な実装方式では、第２重み付け信号を伝送する段階の前に、第２重み付け信号に対してアナログ化処理を実行する段階をさらに備える。
【００２８】
本発明の複数の実施形態において提供されているダウンリンク信号伝送装置及び方法を用いることによって、広ビームを用いて送信される必要があるダウンリンク共通チャンネル信号が、複数のグループのグループ化された信号に分割され、各グループのグループ化された信号に対して、マルチアンテナシステムにおける複数の異なる無線周波数経路上で信号重み付けが別々に実行され、複数の重み付けグループ化信号が合成されて重み付けダウンリンク共通チャンネル信号を取得し、その重み付けダウンリンク共通チャンネル信号は伝送され、これにより、マルチアンテナシステムにおける各無線周波数経路の伝送電力が十分に用いられ、それにより、広ビームの複数の伝送利得を増加させ、ダウンリンク共通チャンネル信号のカバレッジをさらに増加させ、信号伝送効果を向上させる。
【図面の簡単な説明】
【００２９】
【図１】本発明の実施形態に係る応用シナリオの概略図である。
【００３０】
【図２】本発明の実施形態に係るダウンリンク信号伝送方法のフローチャートである。
【００３１】
【図３】本発明の実施形態に係る信号伝送装置の概略構造図である。
【００３２】
【図４】本発明の実施形態に係る信号伝送装置の概略構造図である。
【００３３】
【図５】本発明の実施形態に係るユーザ機器の概略構造図である。
【００３４】
【図６】本発明の実施形態に係るユーザ機器の概略構造図である。
【発明を実施するための形態】
【００３５】
本発明の複数の目的、複数の技術的解決手段、及び複数の利点をより明確にするために、以下にて、添付の複数の図面を参照して本発明の複数の実装方式をさらに詳細に説明する。
【００３６】
本明細書にて説明される複数の技術は、例えば、ワイドバンド符号分割多重アクセス（ＷＣＤＭＡ（登録商標）、ｗｉｄｅｂａｎｄ  ｃｏｄｅ  ｄｉｖｉｓｉｏｎ  ｍｕｌｔｉｐｌｅ  ａｃｃｅｓｓ）システム及び時分割同期符号分割多重アクセス（ＴＤ‐ＳＣＤＭＡ、ｔｉｍｅ  ｄｉｖｉｓｉｏｎ‐ｓｙｎｃｈｒｏｎｉｚａｔｉｏｎ  ｃｏｄｅ  ｄｉｖｉｓｉｏｎ  ｍｕｌｔｉｐｌｅ  ａｃｃｅｓｓ）システムなどの３Ｇ通信システムと、ロングタームエボリューション（ＬＴＥ、Ｌｏｎｇ  Ｔｅｒｍ  Ｅｖｏｌｕｔｉｏｎ）通信システム及びＬＴＥ通信システムから進化した複数のシステムなどの次世代通信システムとを含み、現在の３Ｇ通信システム及び次世代通信システムのような複数の種類の通信システムに適用され得る。
【００３７】
本発明の複数の実施形態において提供されている方法が基地局に関する。基地局は、ＷＣＤＭＡ（登録商標）システムにおけるノードＢ（ＮｏｄｅＢ）、ＬＴＥ通信システムにおける進化型ノードＢ（ｅ‐ＮｏｄｅＢ、ｅｖｏｌｖｅｄ  ＮｏｄｅＢ）、又はＬＴＥに続いて進化した通信システムにおける同様のデバイスであり得る。さらに、本発明の複数の実施形態において提供されている方法は、基地局の遠隔無線ユニット（ＲＲＵ、ｒｅｍｏｔｅ  ｒａｄｉｏ  ｕｎｉｔ）及び受動アンテナ（ｐａｓｓｉｖｅ  ａｎｔｅｎｎａ）により共同で実行されてよく、基地局のベースバンドユニット（ＢＢＵ、ｂａｓｅｂａｎｄ  ｕｎｉｔ）及び受動アンテナにより共同で実行されてよく、基地局の無線周波数部分の機能を統合した能動アンテナ（ａｃｔｉｖｅ  ａｎｔｅｎｎａ）により実行されてよく、又は、基地局内の別の同様の無線周波数機能ユニットにより実行されてよく、本発明の複数の実施形態ではこれらについては特に限定しない。
【００３８】
本発明の複数の実施形態におけるユーザ機器（ＵＥ、Ｕｓｅｒ  Ｅｑｕｉｐｍｅｎｔ）は、例えば、携帯電話又は無線通信機能を有するパーソナルコンピュータなど、無線方式で先述の基地局とデータ転送を実行するユーザ機器であり得る。
【００３９】
図１は、本発明の実施形態に係るダウンリンク信号伝送方法の応用シナリオの概略図である。図１に示されているように、方法は、基地局に実装されている。基地局は、ｋ個（ｋ≧２）の無線周波数経路を備える。無線周波数経路は、基地局内の信号用伝送ルートを指し、伝送されるべき信号に対してフィルタリング及び増幅などの処理を実行し、上述の処理後に取得される信号を基地局のアンテナ素子に転送するために用いられ、そのアンテナ素子は次に、その信号を空中に伝送する。無線周波数経路は、ＲＲＵ経路の構造と同様の特定の構造を有し、本発明のこの実施形態において、その複数の詳細については説明しない。各無線周波数経路は別々に、対応するアンテナ素子を駆動して信号伝送を実行し、１つの無線周波数経路は少なくとも１つのアンテナ素子を駆動し得る。図１では、ワン・ドライビング・ワン（ｏｎｅ‐ｄｒｉｖｉｎｇ‐ｏｎｅ）構成が、説明されており、ワン・ドライビング・ワンは、１つの無線周波数経路が１つのアンテナ素子を駆動することを示し、例えば、４列、８列、又は１６列のアンテナが、一の基地局に対して構成されてよく、従って、その基地局は、４個、８個、又は１６個の無線周波数経路を備え得る。複数の無線周波数経路及びその複数の無線周波数経路に対応する複数のアンテナ素子は全体として、マルチアンテナシステムと称され得る。基地局は、そのｋ個の無線周波数経路に対応するｋ個のデジタル／アナログ変換（ＤＡＣ、ｄｉｇｉｔａｌ  ｔｏ  ａｎａｌｏｇ  ｃｈａｎｇｅ）ユニット、すなわち、図１のＤＡＣユニット１、ＤＡＣユニット２、...、ＤＡＣユニットｋ（ｋ≧２）をさらに備え得る。
【００４０】
図１では、信号１がダウンリンク共通チャンネル信号であり、基地局内において生成され、その信号１は、特定の分割方法によって、信号１‐１、信号１‐２、...、信号１‐Ｎ（Ｎ≧２）というＮ個のグループのグループ化された信号に分割され、信号１‐１、信号１‐２、...、信号１‐Ｎに対して、そのグループ化された信号に対応する重みベクトルＷ１‐１、Ｗ１‐２、...、Ｗ１‐Ｎに従って、重み付け処理が別々に実行され、複数の重みベクトルは、そのグループ化された信号の複数の振幅及び複数の位相を調整するために用いられ、その複数の振幅及び複数の位相は、信号を広ビームに形成する要求に従って、決定され得る。全ての重みベクトルＷ１‐１、Ｗ１‐２、...、Ｗ１‐Ｎは、複数のｋ次元ベクトルであり、ｋ個の無線周波数経路に対応する複数の成分を別々に含み、重み付けされている信号１‐１、信号１‐２、...、信号１‐Ｎに対して、ベクトル加算が実行され、これにより、信号２を取得し、ここで、信号２は、重み付けダウンリンク共通チャンネル信号を表しており、信号２は、ｋ個の無線周波数経路に対応する複数のサブ信号、すなわち、信号２‐１、信号２‐２、...、信号２‐ｋを含み、ＤＡＣユニット１、ＤＡＣユニット２、...、ＤＡＣユニットｋはそれぞれ、信号２‐１、信号２‐２、...、信号２‐ｋに対してアナログ化処理を実行し、複数の取得されたアナログ信号が、複数の対応する無線周波数経路を介して複数のアンテナ素子に転送され、空中に伝送される。アナログ化処理後の信号２‐１、信号２‐２、...、信号２‐ｋは、自動的に空中で重ねられて必要な広ビームを形成する。
【００４１】
本発明のこの実施形態にて、ワン・ドライビング・ワンのマルチアンテナシステムが説明されているが、当業者であれば、本発明のこの実施形態において提供されている方法及び装置が、本発明のこの実施形態の複数の技術的効果を達成するため、例えば、ツー・ドライビング・テン（ｔｗｏ  ｄｒｉｖｉｎｇ  ｔｅｎ）システム及びフォー・ドライビング・テン（ｆｏｕｒ  ｄｒｉｖｉｎｇ  ｔｅｎ）システムなど、複数の他のマルチアンテナシステムに適用され得ることを容易に着想できることが留意されるべきであり、それらのシステムの複数の方法プロセス又は複数の装置の複数の構造が同様であり、従って、その複数の詳細について、ここでは再び説明されない。
【００４２】
本発明の実施形態では、ダウンリンク信号伝送方法を提供する。方法は、マルチアンテナシステムに適用可能であり、そのマルチアンテナシステムは、並列するｋ個の無線周波数経路を含み、ここで、ｋは無線周波数経路の数を表しており、かつ、ｋ≧２である。
【００４３】
方法は、ダウンリンク信号を伝送するために用いられ得、そのダウンリンク信号は、複数のダウンリンク共通チャンネル信号を含み得る。
【００４４】
具体的には、基地局が、複数のダウンリンク共通チャンネル信号を同時にＵＥに送信し得、その複数のダウンリンク共通チャンネル信号は、一のダウンリンク信号又はダウンリンク信号の一部を形成し得、そのダウンリンク信号における任意の１つ又は複数のダウンリンク共通チャンネル信号は、本発明のこの実施形態において提供されている信号伝送方法を用いて処理され得る。実際の応用では、本発明のこの実施形態において提供されている技術的解決手段は、伝送されるべきダウンリンク信号における複数のダウンリンク共通チャンネル信号のうち全て又は一部のために用いられ得、処理されたダウンリンク共通チャンネル信号の数又は種類は、本発明に対するいかなる制限としても解釈されるべきではない。例えば、ダウンリンク共通チャンネル信号は、物理ダウンリンク制御チャンネル（ＰＤＣＣＨ、ｐｈｙｓｉｃａｌ  ｄｏｗｎｌｉｎｋ  ｃｏｎｔｒｏｌ  ｃｈａｎｎｅｌ）信号、物理制御フォーマットインディケータチャンネル（ＰＣＦＩＣＨ、ｐｈｙｓｉｃａｌ  ｃｏｎｔｒｏｌ  ｆｏｒｍａｔ  ｉｎｄｉｃａｔｏｒ  ｃｈａｎｎｅｌ）信号、物理ハイブリッドＡＲＱインディケータチャンネル（ＰＨＩＣＨ、ｐｈｙｓｉｃａｌ  ｈｙｂｒｉｄ  ＡＲＱ  ｉｎｄｉｃａｔｏｒ  ｃｈａｎｎｅｌ）信号、物理ブロードキャストチャンネル（ＰＢＣＨ、ｐｈｙｓｉｃａｌ  ｂｒｏａｄｃａｓｔ  ｃｈａｎｎｅｌ）信号、又は同様のものであってよく、ダウンリンク共通チャンネル信号の種類について本発明では特に限定しない。ＵＥは、利用可能ネットワークのシステム情報を取得してネットワークアクセスを実行するべく、基地局により送信されたダウンリンク共通チャンネル信号を受信して解析し得る。
【００４５】
方法は、基地局により実行され得、少なくとも段階Ｓ２０１からＳ２０４を備え得、方法のプロセスは、図２に示される。
【００４６】
Ｓ２０１．複数のダウンリンク共通チャンネル信号における１つのダウンリンク共通チャンネル信号を、Ｎ個のグループのグループ化された信号に分割し、ここで、Ｎはグループ化された信号のグループの数を表しており、かつ、Ｎ≧２である。
【００４７】
ダウンリンク共通チャンネル信号がＸであることを仮定する。Ｘは、Ｎ個のグループ（Ｎ≧２）に分割され得、Ｘ＝［ｘ１，...，ｘｎ］（１＜ｎ≦Ｎ）として表示される。Ｎ個のグループのグループ化された信号は、ダウンリンク共通チャンネル信号を表すために用いられ、つまり、Ｘの情報は、グループ化された信号が重ねられた後でも依然として完全に表されることができ、重み付け処理を受けた後、Ｎ個のグループのグループ化された信号は、システムの全ての無線周波数経路が全電力でＮ個のグループのグループ化された信号を伝送することを、可能にすることができる。Ｎは、例えば、システムのアンテナの数又は最大伝送電力を考慮するなど、システムのパラメータに従って設定されてよく、サポートされることのできるグループの最大数が、システムの信号処理能力に従って決定され、Ｎは、システムの作動状況に従って特定の範囲内において自己適応に調整され得る。
【００４８】
Ｓ２０２．Ｎ個のグループのグループ化された信号における各グループのグループ化された信号に対応する重みベクトルに従って、そのグループのグループ化された信号に対して、信号重み付けを実行し、Ｎ個の第１重み付け信号を生成する。ここで、重みベクトルは、グループ化された信号のそれぞれの複数の振幅及び複数の位相を調整するために用いられ、これにより、Ｎ個の第１重み付け信号は、広ビーム形成条件を満たす。
【００４９】
ビーム形成処理が信号重み付け処理に自然に対応し、ビームの特性が重み付け用重みベクトルに依存する。セル内の全てのＵＥがダウンリンク共通チャンネル信号を正常に受信することを確実にするために、ダウンリンク共通チャンネル信号は、例えば、６５度のビーム幅を有する広ビームを用いるなど、特定のビーム幅要求を満たす広ビームを用いて送信され得る。具体的には、重みベクトルの選択が、システムにおけるアンテナ配列の設定及び性質に関連する。例えば、複数のアンテナの複数の異なる位置が、複数のアンテナの複数の異なる物理的特性、又は複数の形成されるビームの複数の異なる形状をもたらし得る。従って、重みベクトルは、取得されると予期される広ビームのビーム幅に応じて予め設定され得る。加えて、複数のグループのグループ化された信号により用いられる複数の重みベクトルは同一又は異なってよく、それについては、実際のビーム形成要望に従って決定されてよく、ここでは特に限定しない。
【００５０】
広ビーム形成条件に従って、各グループのグループ化された信号に対して重み付けするために用いられる重み値を選択することは、分割されたダウンリンク共通チャンネル信号が空中に伝送された後でも依然として広ビームを形成できることを確実にする。
【００５１】
分割後のダウンリンク共通チャンネル信号が、Ｘ＝［ｘ１，...，ｘｎ］（１＜ｎ≦Ｎ、かつ、Ｎ≧２）であり、グループ化された信号ｘｎに対して重み付け処理が実行された後にｙｎ＝ｗｉ・ｘｎが取得されることを仮定し、ここで、ｗｉが重みベクトルであり、ｗｉ＝
【数１】
0006305562.tif 000002
ここで、
【数２】
0006305562.tif 000003
は、システムにおける第１から第ｋの無線周波数経路に対応する複数の重みベクトルの複数の成分であり、Ｔは行列転置を表し、ｉは重みベクトルのシリアルナンバーを表し、ｉ≧１であり、ｙｎは、ｋ次元ベクトル（ｋ≧２）である。
【００５２】
全体のダウンリンク共通チャンネル信号に対応する重み付け信号と区別するため、ｙｎは、第１重み付け信号と称される。ｙｎは、ｋ本のチャンネルの第１重み付けサブ信号、つまり、ｋ個の無線周波数経路上で重み付けされた後の対応するグループ化された信号の複数の信号成分を含む。
【００５３】
Ｓ２０３．Ｎ個のグループのグループ化された信号に対応するＮ個の第１重み付け信号を合成し、第２重み付け信号を取得する。
【００５４】
第ｉグループのグループ化された信号がｘｉ（ｉ≧１）であり、重み付け後に取得される第１重み付け信号がｙｉであることを仮定し、ここで、ｙｉは、ｋ個の無線周波数経路に対応するｋ本のチャンネルの第１重み付けサブ信号を含む。合成処理について具体的には、各無線周波数経路上で、ｙｉに含まれる複数の第１重み付けサブ信号と、複数の他の重み付けグループ化信号の、無線周波数経路に対応する複数の第１重み付けサブ信号とを追加して合成し、第２重み付け信号を取得する。つまり、Ｙ＝ｙ１＋...＋ｙｉ＋...＋ｙｎ（１＜ｎ≦Ｎ、かつ、Ｎ≧２）であり、ここで、Ｙはｋ次元ベクトルであり、重み付けダウンリンク共通チャンネル信号を表している。グループ化された信号の重み付け信号と区別するため、Ｙは、第２重み付け信号と称される。Ｙは、ｋ個の無線周波数経路に対応するｋ本のチャンネルの第２重み付けサブ信号を含み、ｋ本のチャンネルの第２重み付けサブ信号はそれぞれ、有効成分を含む。
【００５５】
Ｓ２０４．第２重み付け信号を伝送する。
【００５６】
先述の信号分割及び重み付け処理の後、ダウンリンク共通チャンネル信号は、広ビームを形成するべく、複数の異なるアンテナ素子を用いて伝送され、空中で重ねられ得る。
【００５７】
任意に、第２重み付け信号を伝送する前に、方法は、その第２重み付け信号に対してアナログ化処理を実行し、複数の取得されたアナログ信号を、ｋ個の無線周波数経路を介してエアインタフェースに転送し、その複数の取得されたアナログ信号を伝送する段階をさらに備えてよく、ここで、その複数の取得されたアナログ信号は、空中で自然に重ねられて広ビームを形成し、広ビームは、ダウンリンク共通チャンネル信号を伝送するために用いられ得、比較的大きい信号カバレッジ及び複数の比較的高いビーム利得を有する。
【００５８】
実際の応用では、基地局が複数のダウンリンク共通チャンネル信号を同時に送信し得、分割及び重み付け処理は、先述の方法を用いて各ダウンリンク共通チャンネル信号に対して実行され得る。共通チャンネル信号１が重みベクトルｗ１を用いて重み付けされた後に、ｋ本のチャンネルの重み付けサブ信号が生成されることを仮定する。そのｋ本のチャンネルの重み付けサブ信号と、複数の他のダウンリンク共通チャンネル信号のｋ本のチャンネルの重み付け信号とが加算され、次に、次のｋ個のデジタル／アナログ変換ユニット及びｋ個の無線周波数ユニットに対応して送信され、最後に、エアインタフェースを介して伝送され得る。つまり、最後にエアインタフェースを介して伝送された信号が、複数の重み付けダウンリンク共通チャンネル信号を含むダウンリンク信号であり、空中で形成されたビームが、複数の異なるダウンリンク共通チャンネル信号に対応する複数の広ビームを含む。従って、本発明のこの実施形態において提供されている方法は、例えば、農村地域又は郊外地域においてセル設計が要求を満たしておらず、又は、システムの信号伝送電力が低い状況においてなど、広ビームを用いて送信される必要のあるダウンリンク共通チャンネル信号のカバレッジが制限されている様々なシナリオに適用可能であり、それにより、広い範囲の応用シナリオを有する。
【００５９】
任意に、本発明の別の実施形態として、Ｓ２０３におけるｋ本のチャンネルの第１重み付けサブ信号は、少なくとも１本のチャンネルの有効第１重み付けサブ信号を含み、その有効第１重み付けサブ信号は、有効成分を含み、その有効成分は、先述の重みベクトルにおけるゼロ以外の成分、又は予め設定された閾値より大きい成分を含み得る。
【００６０】
具体的には、表１に示されているように、１６列のアンテナを含むマルチアンテナシステムを例として用いて、グループ化された信号に対して、４個の無線周波数経路に対応する複数の有効成分を含む重みベクトルが、重み付けを実行するために選択され得る。第ｉグループの複数の重み付けグループ化信号が第１重み付け信号ｙｉ（ｉ≧１）として示され、ここで、ｙ１からｙｉは、それらに対応する複数の異なる無線周波数経路により区別され得、ｙ１からｙｉの複数の有効成分のそれぞれが、ｋ個の無線周波数経路の少なくとも１つの無線周波数経路に対応している。１６列のアンテナを有する（ワン・ドライビング・ワン）マルチアンテナシステムをまた例として用いて、ダウンリンク共通チャンネル信号Ｘが、［ｘ１，ｘ２，ｘ３，ｘ４］に分割され、複数の重み付けグループ化信号が、［ｙ１，ｙ２，ｙ３，ｙ４］＝［ｗ１・ｘ１，ｗ２・ｘ２，ｗ３・ｘ３，ｗ４・ｘ４，］として表示され、ここで、ｗ１、ｗ２、ｗ３、及びｗ４は、複数の重みベクトルである。信号ｙ１の重みベクトルｗ１が、ｋ個の無線周波数経路におけるｋ１、ｋ２、ｋ３、及びｋ４に対応する４つの有効成分を有し、信号ｙ２の重みベクトルｗ２が、ｋ個の無線周波数経路におけるｋ５、ｋ６、ｋ７、及びｋ８に対応する４つの有効成分を有し、信号ｙ３の重みベクトルｗ３が、ｋ個の無線周波数経路におけるｋ９、ｋ１０、ｋ１１、及びｋ１２に対応する４つの有効成分を有し、信号ｙ４の重みベクトルｗ４が、ｋ個の無線周波数経路におけるｋ１３、ｋ１４、ｋ１５、及びｋｌ６に対応する４つの有効成分を有することを仮定する。システムにおいて、全ての１６個の無線周波数経路における各無線周波数経路は、対応する伝送電力を有し、重みベクトルの有効成分が、フルスケールの振幅を有し得、従って、無線周波数経路は全電力で信号を伝送し得ることが分かり得る。
【表１】
0006305562.tif 000004
［表１］グループ化された信号を重み付けするための重みベクトルの選択例
【００６１】
この実施形態では、システムにおける全てのアンテナが、信号伝送処理に加わることができる。従って、ダウンリンク信号伝送電力が増加するのみならず、システムの複数の無線周波数リソースもまた十分に用いられる。
【００６２】
任意に、本発明の別の実施形態として、Ｓ２０１では、ダウンリンク共通チャンネル信号は、複数の方法を用いて分割されてよく、２つの選択的な方式が以下にて提供される。
【００６３】
任意に、１つのダウンリンク共通チャンネル信号をＮ個のグループのグループ化された信号に分割する段階は、Ｎ個のグループのグループ化された信号を取得するべく、その１つのダウンリンク共通チャンネル信号により占有されるサブキャリアの数に従って、その１つのダウンリンク共通チャンネル信号に対して、周波数領域分割を実行する段階を含む。
【００６４】
例えば、ダウンリンク共通チャンネル信号Ｘが、周波数領域において１００個のサブキャリアを占有することを仮定し、その複数のサブキャリアに従って、１０個のグループを取得するべく、周波数領域分割で分割され得、つまり、Ｘ＝［ｘ１，ｘ２，...，ｘ１０］であり、ここで、各グループは、Ｘの一部のサブキャリアを含み、１０個のグループのグループ化された信号が全体としてＸの全ての１００個のサブキャリアを占有することが保証される限り、複数のグループのグループ化された信号に含まれるサブキャリアの複数の数が同一であってよく、又は異なってもよい。加えて、重み付け処理を受けた後のグループ化された信号が、システムの全ての無線周波数経路が全電力でグループ化された信号を伝送することを可能にすることを確実にするために、つまり、グループ化された信号に対する重み付け処理が各無線周波数経路上で実行され得、各グループに含まれる複数のサブキャリアと、別のグループに含まれる複数のサブキャリアとが、不完全に同一又は完全に異なるサブキャリアであってよく、つまり、グループ化された信号のうち少なくとも一部は重ならない。
【００６５】
任意に、１つのダウンリンク共通チャンネル信号をＮ個のグループのグループ化された信号に分割する段階は、ダウンリンク共通チャンネル信号に対して位相偏向をＮ回実行する段階を含み、ここで、毎回位相偏向を実行した後に取得されるダウンリンク共通チャンネル信号が、１つのグループのグループ化された信号として用いられ、これにより、Ｎ個のグループのグループ化された信号を取得する。
【００６６】
例えば、複数の異なる角度の位相偏向が、ダウンリンク共通チャンネル信号Ｘに対して実行され、毎回Ｘの位相偏向を実行した後に取得されるダウンリンク共通チャンネル信号が、グループのグループ化された信号として用いられ、これにより、複数のグループのグループ化された信号が生成され得る。毎回位相が角度θ（−１８０°＜θ＜１８０°）で偏向されることを仮定し、ここで、θは変数であり、θの具体的な値は、予め設定されてよく、システムの作動状況に従って自己適応に決定されてよく、ここでは特に限定しない。毎回、位相が異なる角度で偏向されるので、複数の異なるグループ化された信号が、毎回位相偏向を実行した後に取得される。
【００６７】
先述の周波数領域分割又は相変化分割方法を用いることによって、信号位相及び周波数の観点から大空間の利用ができ、複数の候補分割形式が存在し、このことは、システムの構造及び性能には十分に適応し、良好な信号分割効果を達成することができる。
【００６８】
本発明のこの実施形態において提供されている方法は、マルチアンテナシステムに適用可能である。広ビームを用いて送信される必要のあるダウンリンク共通チャンネル信号が、複数のグループのグループ化された信号に分割され、各グループのグループ化された信号に対して、複数の異なる無線周波数経路上で信号重み付けが別々に実行され、複数の重み付けグループ化信号が合成されて重み付けダウンリンク共通チャンネル信号を取得し、その重み付けダウンリンク共通チャンネル信号は伝送され、これにより、マルチアンテナシステムにおける各無線周波数経路の伝送電力が十分に用いられ、それにより、広ビームの複数の伝送利得を増加させ、ダウンリンク共通チャンネル信号のカバレッジをさらに増加させ、信号伝送効果を向上させ、システム設計を最適化し、複数のリソースの無駄を回避する。
【００６９】
本発明の実施形態では、図３に示されているように、複数のダウンリンク共通チャンネル信号を含むダウンリンク信号を伝送するよう構成される信号伝送装置を提供する。
【００７０】
装置は、信号分割ユニット３０１と、信号重み付けユニット３０２と、信号合成ユニット３０３と、伝送ユニット３０４とを備え、伝送ユニット３０４は、並列するｋ個（ｋ≧２）の無線周波数サブユニット３０４１を含む。
【００７１】
信号分割ユニット３０１は、複数のダウンリンク共通チャンネル信号における１つのダウンリンク共通チャンネル信号を、Ｎ個のグループのグループ化された信号に分割するよう構成され得、ここで、Ｎはグループ化された信号のグループの数を表しており、かつ、Ｎ≧２である。
【００７２】
ダウンリンク共通チャンネル信号がＸであることを仮定する。Ｘは、Ｎ個のグループ（Ｎ≧２）に分割され得、Ｘ＝［ｘ１，ｘ２，...，ｘｎ，...，ｘＮ］（１＜ｎ≦Ｎ）として表示される。Ｎ個のグループのグループ化された信号は、ダウンリンク共通チャンネル信号を表すために用いられ、つまり、Ｘの情報は、そのグループ化された信号が重ねられた後でも依然として完全に表されることができ、重み付け処理を受けた後、Ｎ個のグループのグループ化された信号は、システムの全ての無線周波数サブユニットが全電力でＮ個のグループのグループ化された信号を伝送することを、可能にすることができる。
【００７３】
任意に、信号分割ユニット３０１は、Ｎ個のグループのグループ化された信号を取得するべく、その１つのダウンリンク共通チャンネル信号に占有されるサブキャリアの数に従って、その１つのダウンリンク共通チャンネル信号に対して、周波数領域分割を実行するようさらに構成され得る。
【００７４】
任意に、信号分割ユニット３０１は、その１つのダウンリンク共通チャンネル信号に対して位相偏向をＮ回実行するようさらに構成され得、ここで、毎回位相偏向を実行した後に取得されるダウンリンク共通チャンネル信号が、１つのグループのグループ化された信号として用いられ、これにより、Ｎ個のグループのグループ化された信号を取得する。
【００７５】
周波数領域分割又は相変化分割方法の複数の具体的な説明については、図２に示されている方法の実施形態の対応する内容を参照し、その複数の詳細はここでは再び説明されない。
【００７６】
先述の周波数領域分割又は相変化分割方法を用いることによって、信号位相及び周波数の観点から大空間の利用ができ、複数の候補分割形式が存在し、このことは、システムの構造及び性能に十分に適応し、良好な信号分割効果を達成することができる。
【００７７】
信号重み付けユニット３０２は、Ｎ個の第１重み付け信号を生成するべく、Ｎ個のグループのグループ化された信号における各グループのグループ化された信号に対応する重みベクトルに従って、そのグループのグループ化された信号に対して、信号重み付けを実行するよう構成され、ここで、重みベクトルは、各グループのグループ化された信号の複数の振幅及び複数の位相を調整するために用いられ、これにより、Ｎ個の第１重み付け信号は、広ビーム形成条件を満たす。
【００７８】
重みベクトルは、ｋ個の無線周波数サブユニットに対応する複数の成分を含み得、信号重み付けユニット３０２は、ｋ個の無線周波数サブユニット３０４１に対応するｋ本のチャンネルの第１重み付けサブ信号を含むＮ個の第１重み付け信号を生成するよう具体的に構成され得る。
【００７９】
重みベクトルの選択は、システムにおけるアンテナ配列の設定及び性質に関連する。例えば、複数のアンテナの複数の異なる位置は、複数のアンテナの複数の異なる物理的特性、又は複数の形成されるビームの複数の異なる形状をもたらし得る。
【００８０】
任意に、本発明の別の実施形態として、信号重み付けユニット３０２が、ｋ個の無線周波数サブユニットに対応するｋ本のチャンネルの重み付けサブ信号を含むＮ個の第１重み付け信号を生成するよう構成されることは、ｋ本のチャンネルの第１重み付けサブ信号が少なくとも１本のチャンネルの有効第１重み付けサブ信号を含み、その有効第１重み付けサブ信号が有効成分を含み、有効成分が重みベクトルにおけるゼロ以外の成分、又は予め設定された閾値より大きい成分を含むことを含む。
【００８１】
詳述された信号重み付け処理の複数の説明及び例については、図２に示されている方法の実施形態の関連内容を参照し、その複数の詳細はここでは再び説明されない。
【００８２】
信号合成ユニット３０３は、第２重み付け信号を取得するべく、Ｎ個のグループのグループ化された信号に対応するＮ個の第１重み付け信号を合成するよう構成される。
【００８３】
特定の信号合成処理については、図２に示されている方法の実施形態の複数の関連説明を参照し、その複数の詳細はここでは再び説明されない。
【００８４】
伝送ユニット３０４は、第２重み付け信号を伝送するよう構成されてよく、並列するｋ個の無線周波数サブユニット３０４１を含み、ここで、ｋは、無線周波数サブユニットの数を表しており、かつ、ｋ≧２である。図示を明確にするために、図３には合計３つの無線周波数サブユニット３０４１が存在する。しかしながら、無線周波数サブユニット３０４１の数は、単に例として用いられており、本発明のこの実施形態に対するいかなる制限としても解釈されるべきではない。
【００８５】
無線周波数サブユニット３０４１は、第２重み付け信号に含まれる第２重み付けサブ信号を転送するよう構成され得る。
【００８６】
具体的には、無線周波数サブユニット３０４１は、伝送されるべき第２重み付けサブ信号に対してフィルタリング及び増幅などの処理を実行し、処理後に取得された信号を、伝送のためにエアインタフェースに転送する。具体的な構造及び機能いついては、従来技術のＲＲＵ経路を参照する。
【００８７】
任意に、装置は、第２重み付け信号に対してアナログ化処理を実行し、取得されたアナログ信号を伝送ユニット３０４に送信するよう構成されるデジタル／アナログ変換ユニット３０５をさらに備える。
【００８８】
具体的には、ｋ個のデジタル／アナログ変換ユニット３０５は、設定され得、デジタル／アナログ変換は、第２重み付け信号に対してｋ回実行され、複数の取得されたアナログ信号は、ｋ個の無線周波数サブユニット３０４１に対応して送信され、エアインタフェースを介して伝送されて空中で重ねられ、広ビームを形成し、その広ビームは、ダウンリンク共通チャンネル信号を伝送のために用いられ得、比較的高い信号カバレッジ及び複数の比較的高いビーム利得を有する。図示を明確にするために、図３には、複数の無線周波数サブユニット３０４１に対応する合計３つのデジタル／アナログ変換ユニット３０５が存在する。しかしながら、デジタル／アナログ変換ユニット３０５の数は単に、例として用いられ、本発明のこの実施形態に対するいかなる制限としても解釈されるべきではない。
【００８９】
本発明のこの実施形態において提供されている信号伝送装置を用いることによって、広ビームを用いて送信される必要のあるダウンリンク共通チャンネル信号が、複数のグループのグループ化された信号に分割され、各グループのグループ化された信号に対して、装置の複数の異なる無線周波数サブユニット上で信号重み付けが別々に実行され、複数の重み付けグループ化信号は、合成されて重み付けダウンリンク共通チャンネル信号を取得し、その重み付けダウンリンク共通チャンネル信号は伝送され、これにより、マルチアンテナシステムの各無線周波数経路の伝送電力が十分に用いられ、それにより、広ビームの複数の伝送利得を増加させ、ダウンリンク共通チャンネル信号のカバレッジをさらに増加させ、信号伝送効果を向上させ、システム設計を最適化し、複数のリソースの無駄を回避する。
【００９０】
本発明の実施形態は、図４に示されているように、複数のダウンリンク共通チャンネル信号を含むダウンリンク信号を伝送するよう構成される信号伝送装置を提供する。
【００９１】
信号伝送装置は、メモリ４０１と、プロセッサ４０２と、伝送回路４０３とを備え、伝送回路４０３は、並列するｋ個の無線周波数経路４０３１を含み、ｋは、無線周波数経路の数を表しており、かつ、ｋ≧２である。図示を明確にするために、図４には合計３つの無線周波数経路４０３１が存在する。しかしながら、無線周波数経路４０３１の数は、単に例として用いられており、本発明のこの実施形態に対するいかなる制限としても解釈されるべきではない。
【００９２】
メモリ４０１は、プロセッサ４０２が複数の動作を実行することを可能にする複数の命令を格納し、その複数の動作は、複数のダウンリンク共通チャンネル信号における１つのダウンリンク共通チャンネル信号を、Ｎ個のグループのグループ化された信号に分割することであって、Ｎはグループ化された信号のグループの数を表しており、かつ、Ｎ≧２であること、Ｎ個の第１重み付け信号を生成するべく、Ｎ個のグループのグループ化された信号における各グループのグループ化された信号に対応する重みベクトルに従って、そのグループのグループ化された信号に対して、信号重み付けを実行することであって、重みベクトルは、各グループのグループ化された信号の複数の振幅及び複数の位相を調整するために用いられ、これにより、Ｎ個の第１重み付け信号は広ビーム形成条件を満たすこと、第２重み付け信号を取得するべく、Ｎ個のグループのグループ化された信号に対応するＮ個の第１重み付け信号を合成すること、及び、その第２重み付け信号を伝送することである。
【００９３】
重みベクトルは、ｋ個の無線周波数経路に対応する複数の成分を含み得、メモリ４０１は、ｋ個の無線周波数経路に対応するｋ本のチャンネルの第１重み付けサブ信号を含むＮ個の第１重み付け信号を生成する動作をプロセッサ４０２が実行することを可能にする命令を格納するようさらに構成される。
【００９４】
重みベクトルの選択は、システムにおけるアンテナ配列の設定及び性質に関連する。例えば、複数のアンテナの複数の異なる位置は、複数のアンテナの複数の異なる物理的特性、又は複数の形成されるビームの複数の異なる形状をもたらし得る。
【００９５】
任意に、メモリ４０１は、ｋ本のチャンネルの第１重み付けサブ信号が少なくとも１本のチャンネルの有効第１重み付けサブ信号を含み、その有効第１重み付けサブ信号が有効成分を含み、その有効成分が重みベクトルにおけるゼロ以外の成分、又は予め設定された閾値より大きい成分を含む動作をプロセッサ４０２が実行することを可能にする命令を格納するようさらに構成される。
【００９６】
詳述された信号重み付け処理の複数の説明及び例については、図２に示されている方法の実施形態の関連内容を参照し、その複数の詳細はここでは再び説明されない。
【００９７】
伝送回路４０３は、第２重み付け信号を伝送するよう構成され得る。
【００９８】
無線周波数経路４０３１は、第２重み付け信号に含まれる第２重み付けサブ信号を転送するよう構成され得る。
【００９９】
具体的には、無線周波数経路４０３１は、伝送されるべき第２重み付けサブ信号に対してフィルタリング及び増幅などの処理を実行し、処理後に取得された信号を、伝送のために、エアインタフェースに転送し得る。具体的な構造及び機能については、従来技術のＲＲＵ経路を参照する。
【０１００】
伝送回路４０３は、無線周波数経路４０３１により駆動されるアンテナ素子４０３２をさらに含み得る。例えば、ワン・ドライビング・ワン、又はツー・ドライビング・フォーなど、アンテナ素子の数と無線周波数経路の数との間の対応関係が存在する。ワン・ドライビング・ワンのマルチアンテナシステムが本発明のこの実施形態において説明のために用いられているが、本発明に対するいかなる制限としても解釈されるべきではない。図示を明確にするために、図４には無線周波数経路４０３１に対応する合計３つのアンテナ素子４０３２が存在する。しかしながら、アンテナ素子４０３２の数は、単に例として用いられており、本発明のこの実施形態に対するいかなる制限としても解釈されるべきではない。
【０１０１】
装置は、第２重み付け信号に対してアナログ化処理を実行し、取得されたアナログ信号を伝送回路に送信するよう構成されるデジタル／アナログ信号コンバータ（略して、デジタル／アナログコンバータ）４０４をさらに備え得る。
【０１０２】
具体的には、ｋ個のデジタル／アナログコンバータ４０４が設定され得、デジタル／アナログ変換が第２重み付け信号に対してｋ回実行され、複数の取得されたアナログ信号が、ｋ個の無線周波数経路４０３１に対応して送信され、エアインタフェースを介して伝送され、空中で重ねられて広ビームを形成し、その広ビームは、ダウンリンク共通チャンネル信号を伝送するために用いられ、比較的高い信号カバレッジ及び複数の比較的高いビーム利得を有する。
【０１０３】
図示を明確にするために、図４には無線周波数経路４０３１に対応する合計３つのデジタル／アナログコンバータ４０４が存在する。しかしながら、デジタル／アナログコンバータ４０４の数は、単に例として用いられており、本発明のこの実施形態に対するいかなる制限としても解釈されるべきではない。
【０１０４】
任意に、メモリ４０１は、１つのダウンリンク共通チャンネル信号により占有されるサブキャリアの数に従って、１つのダウンリンク共通チャンネル信号に対して、周波数領域分割を実行する命令をさらに格納し得る。
【０１０５】
任意に、メモリ４０１は、１つのダウンリンク共通チャンネル信号に対して位相偏向をＮ回実行する命令をさらに格納し得、ここで、毎回位相偏向を実行した後に取得されるダウンリンク共通チャンネル信号が、１つのグループのグループ化された信号として用いられる。
【０１０６】
周波数領域分割又は相変化分割方法の複数の具体的な説明については、図２に示されている方法の実施形態における対応する内容を参照し、その複数の詳細はここでは再び説明されない。
【０１０７】
先述の周波数領域分割又は相変化分割方法を用いることによって、信号位相及び周波数の観点から大空間の利用ができ、複数の候補分割形式が存在し、このことは、システムの構造及び性能に十分に適応し、良好な信号分割効果を達成することができる。
【０１０８】
プロセッサ４０２は、メモリ４０１に格納される先述の複数の命令を実行し得る。具体的には、プロセッサ４０２は、本発明のこの実施形態において提供されている信号伝送装置の動作を制御し、プロセッサ４０２はまた、ＣＰＵ（Ｃｅｎｔｒａｌ  Ｐｒｏｃｅｓｓｉｎｇ  Ｕｎｉｔ、中央処理装置）と称され得る。メモリ４０１は、リードオンリメモリと、ランダムアクセスメモリとを含み得、プロセッサ４０２に複数の命令及びデータを提供する。メモリ４０１の一部が、不揮発性ランダムアクセスメモリ（ＮＶＲＡＭ）をさらに含む。具体的な応用では、装置の複数の成分は、バスシステム４０５を用いて共に結合され、ここで、バスシステム４０５は、データバスを含み、電力バス、制御バス、状態信号バス、及び同様のものをさらに含み得る。しかしながら、説明を明確にするために、この図における全てのバスが、バスシステム４０５として示されている。
【０１０９】
本発明の先述の複数の実施形態にて開示されている方法は、プロセッサ４０２に適用されてよく、又はプロセッサ４０２により実装されてよい。プロセッサ４０２は、集積回路チップであってよく、信号処理能力を有する。実装プロセスにおいて、先述の方法における全ての段階は、プロセッサ４０２におけるハードウェア形式の集積論理回路又はソフトウェア形成の複数の命令により、完了され得る。先述のプロセッサ４０２は、汎用プロセッサ、デジタル信号プロセッサ（ＤＳＰ）、専用集積回路（ＡＳＩＣ）、フィールド・プログラマブル・ゲート・アレイ（ＦＰＧＡ）又は別のプログラマブル論理デバイス、ディスクリートゲート又はトランジスタ論理デバイス、若しくは、ディスクリートハードウェアアセンブリであり得る。本発明の複数の実施形態にて開示されている全ての方法、段階、又は論理ブロック図は、実装され、又は実行され得る。汎用プロセッサは、マイクロプロセッサであってよく、又は任意の通常のプロセッサ、若しくは同様のものであってよい。本発明の複数の実施形態にて開示されている方法の複数の段階は、ハードウェア形式の復号プロセッサにより直接完了されてよく、又は、復号プロセッサにおけるハードウェアモジュールとソフトウェアモジュールとの組み合わせを用いて完了されてよい。ソフトウェアモジュールは、ランダムアクセスメモリ、フラッシュメモリ、リードオンリメモリ、プログラマブルリードオンリメモリ又は電気的消去可能なプログラマブルメモリ、若しくはレジスタなど、当技術分野において成熟化した記憶媒体に配置され得る。記憶媒体は、メモリ４０１に配置され、プロセッサ４０２は、メモリ４０１における情報を読み取り、プロセッサ４０２のハードウェアを用いて先述の方法の複数の段階を完了する。
【０１１０】
本発明のこの実施形態における信号伝送装置を用いることによって、広ビームを用いて送信される必要のあるダウンリンク共通チャンネル信号が、複数のグループのグループ化された信号に分割され、各グループのグループ化された信号に対して、装置の複数の異なる無線周波数経路上で信号重み付けが別々に実行され、複数の重み付けグループ化信号が合成されて重み付けダウンリンク共通チャンネル信号を取得し、その重み付けダウンリンク共通チャンネル信号は伝送され、これにより、マルチアンテナシステムにおける各無線周波数経路の伝送電力が十分に用いられ、それにより、広ビームの複数の伝送利得を増加させ、ダウンリンク共通チャンネル信号のカバレッジをさらに増加させ、信号伝送効果を向上させ、システム設計を最適化し、複数のリソースの無駄を回避する。
【０１１１】
上の図３及び図４にて説明されている信号伝送装置は、図２に示されている実施形態におけるダウンリンク信号伝送方法を実行し得ることが容易に理解される。説明の簡便性及び簡潔性のために、上の図３及び図４にて説明されている複数のデバイスの複数の具体的な動作処理については、図２に示されている方法の実施形態の対応する方法プロセスを参照し、その複数の詳細はここでは再び説明されない。
【０１１２】
本発明の実施形態は、図５に示されているユーザ機器をさらに提供し、当該ユーザ機器は、基地局により送信された第２重み付け信号を受信するよう構成される受信ユニット５０１であって、第２重み付け信号は、Ｎ個の第１重み付け信号を合成することによって取得され、Ｎ個の第１重み付け信号は、Ｎ個のグループのグループ化された信号に対応し、Ｎ個のグループのグループ化された信号は、複数のダウンリンク共通チャンネル信号における１つのダウンリンク共通チャンネル信号に分割することによって取得され、Ｎはグループ化された信号のグループの数を表しており、かつ、Ｎ≧２であり、Ｎ個の第１重み付け信号は、Ｎ個のグループのグループ化された信号における各グループのグループ化された信号に対応する重みベクトルに従って、重みベクトルに対応するグループのグループ化された信号に対して、信号重み付けを実行することによって取得され、重みベクトルは、各グループのグループ化された信号の複数の振幅及び複数の位相を調整するために用いられ、これにより、第１重み付け信号は、広ビーム形成条件を満たす、受信ユニット５０１と、第２重み付け信号により保持されるシステム情報を取得する処理ユニット５０２とを備える。
【０１１３】
本発明の実施形態は、図６に示されているユーザ機器をさらに提供し、当該ユーザ機器は、基地局により送信された第２重み付け信号を受信するよう構成される受信機６０１であって、第２重み付け信号はＮ個の第１重み付け信号を合成することによって取得され、Ｎ個の第１重み付け信号はＮ個のグループのグループ化された信号に対応し、Ｎ個のグループのグループ化された信号は複数のダウンリンク共通チャンネル信号における１つのダウンリンク共通チャンネル信号を分割することによって取得され、Ｎはグループ化された信号のグループの数を表しており、かつ、Ｎ≧２であり、Ｎ個の第１重み付け信号は、Ｎ個のグループのグループ化された信号における各グループのグループ化された信号に対応する重みベクトルに従って、重みベクトルに対応するグループのグループ化された信号に対して、信号重み付けを実行することによって取得され、重みベクトルは、各グループのグループ化された信号の複数の振幅及び複数の位相を調整するために用いられ、これにより、第１重み付け信号は、広ビーム形成条件を満たす、受信機６０１と、ダウンリンク信号により保持されるシステム情報を取得するプロセッサ６０２とを備える。
【０１１４】
上の図５又は図６に示されている実施形態におけるユーザ機器により受信されたダウンリンク共通チャンネル信号が、図３又は図４に示されている実施形態における信号伝送装置により伝送され得、又は図２に示されている実施形態におけるダウンリンク信号伝送方法を用いて処理することによって取得され得ることは理解されることができる。関連内容については、本発明の他の複数の実施形態における複数の説明を参照し、その複数の詳細はここでは再び説明されない。
【０１１５】
本発明のこの実施形態において提供されているユーザ機器を用いることによって、複数の高い伝送利得を有する広ビーム信号が受信され、これにより、ダウンリンク共通チャンネル信号におけるシステム情報がより正確に解析されることができ、それにより、受信及び処理能力を高めることができる。
【０１１６】
先述の複数の処理の複数のシーケンスナンバーが、本発明の様々な実施形態における複数の実行順序を意味するものではないことが理解されるべきである。複数の処理の複数の実行順序は、その複数の処理の複数の機能及び内部論理に従って決定されるべきであり、本発明の複数の実施形態の複数の実装プロセスに対するいかなる制限としても解釈されるべきではない。
【０１１７】
複数の実施形態の複数の先述の説明に基づき、当業者は、本発明は、必要な汎用ハードウェアプラットフォームに加えてソフトウェアにより、又はハードウェアのみにより、実装され得ることを明確に理解し得る。たいていの状況において、前者が好ましい実装方式である。そのような理解に基づき、本発明の複数の技術的解決手段は本質的に、又は従来技術に寄与する部分は、ソフトウェア製品の形態に実装され得る。ソフトウェア製品は、記憶媒体に格納され、（パーソナルコンピュータ、サーバ、又はネットワークデバイスであり得る）コンピュータデバイスに対して、本発明の複数の実施形態にて説明されている複数の方法の複数の段階の全て又は一部を実行するよう命令するためのいくつかの命令を含む。先述の記憶媒体は、ＵＳＢフラッシュドライブ、リムーバブルハードディスク、リードオンリメモリ（ＲＯＭ）、ランダムアクセスメモリ（ＲＡＭ）、磁気ディスク、又は光ディスクなどのプログラムコードを格納することができるあらゆる媒体を含む。
【０１１８】
本出願において提供されているいくつかの実施形態では、開示されているシステム、デバイス、及び方法は、本出願の範囲を超えない別の方式で実装され得ることが理解されるべきである。例えば、説明されている基地局の実施形態は単に例示である。例えば、モジュール又はユニットの分割は、単に論理機能分割であり、実際の実装において他の分割であり得る。例えば、複数のユニット又は成分は、別のシステムに合成され又は統合されてよく、又はいくつかの特徴が無視され又は実行されなくてよい。別個の部分として説明されている複数のユニットは、物理的に別々であっても、又は別々でなくてもよく、複数のユニットとして表示されている複数の部分が、物理的ユニットであってよく、又は物理的ユニットでなくてもよく、１つの場所に配置されてよく、又は複数のネットワークユニット上に分散されてよい。複数のモジュールのうちいくつか又は全てが、複数の実施形態の複数の解決手段の複数の目的を達成するべく、複数の実際の需要に応じて選択され得る。当業者であれば、創造的努力なく本発明の複数の実施形態を理解して実装し得る。
【０１１９】
加えて、複数の異なる実施形態の説明されているシステム、デバイス、及び方法、並びに複数の概略図は、本出願の範囲を超えることなく、別のシステム、モジュール、技術、又は方法に合成され又は統合され得る。加えて、表示され又は説明されている複数の相互結合、又は直接結合、若しくは通信接続は、いくつかのインタフェースを介して実装され得る。複数の基地局又はユニットの間の複数の間接結合又は通信接続は、電子的、機械的、又は他の形態で実装され得る。
【０１２０】
先述の説明は、単に本発明の複数の具体的な実装方式であり、本発明の保護範囲を制限することを意図しない。当業者により本発明にて開示されている技術範囲内で容易に想到されるあらゆる変形例又は置換例が、本発明の保護範囲に含まれるべきである。従って、本発明の保護範囲は、複数の請求項の保護範囲に従うものとする。
（項目１）
複数のダウンリンク共通チャンネル信号を有するダウンリンク信号を伝送するよう構成される信号伝送装置であって、上記信号伝送装置は、
上記複数のダウンリンク共通チャンネル信号における１つのダウンリンク共通チャンネル信号を、Ｎ個のグループのグループ化された信号に分割するよう構成される信号分割ユニットであって、Ｎはグループ化された信号のグループの数を表しており、かつ、Ｎ≧２である、信号分割ユニットと、
Ｎ個の第１重み付け信号を生成するべく、上記Ｎ個のグループのグループ化された信号における各グループのグループ化された信号に対応する重みベクトルに従って、上記グループのグループ化された信号に対して、信号重み付けを実行するよう構成される信号重み付けユニットであって、上記重みベクトルは、各グループのグループ化された信号の複数の振幅及び複数の位相を調整するために用いられ、これにより、上記Ｎ個の第１重み付け信号は、広ビーム形成条件を満たす、信号重み付けユニットと、
第２重み付け信号を取得するべく、上記Ｎ個のグループのグループ化された信号に対応する上記Ｎ個の第１重み付け信号を合成するよう構成される信号合成ユニットと、
並列するｋ個の無線周波数サブユニットを有し、上記第２重み付け信号を伝送するよう構成される伝送ユニットであって、ｋは無線周波数サブユニットの数を表しており、かつ、ｋ≧２である、伝送ユニットと
を備える
装置。
（項目２）
上記重みベクトルは、上記ｋ個の無線周波数サブユニットに対応する複数の成分を有し、
上記信号重み付けユニットがＮ個の第１重み付け信号を生成するよう構成されることは、上記ｋ個の無線周波数サブユニットに対応するｋ本のチャンネルの第１重み付けサブ信号を含むＮ個の第１重み付け信号を生成することを含む、
項目１に記載の装置。
（項目３）
上記信号重み付けユニットが、上記ｋ個の無線周波数サブユニットに対応するｋ本のチャンネルの重み付けサブ信号を含むＮ個の第１重み付け信号を生成するよう構成されることは、
上記ｋ本のチャンネルの第１重み付けサブ信号が少なくとも１本のチャンネルの有効第１重み付けサブ信号を含み、上記有効第１重み付けサブ信号は、有効成分を含み、上記有効成分は、重みベクトルにおけるゼロ以外の成分又は予め設定された閾値より大きい成分を含むことを含む、
項目２に記載の装置。
（項目４）
上記無線周波数サブユニットは、上記第２重み付け信号に含まれる第２重み付けサブ信号を転送するよう構成される、
項目１から３のいずれか一項に記載の装置。
（項目５）
上記信号分割ユニットが、上記複数のダウンリンク共通チャンネル信号における１つのダウンリンク共通チャンネル信号を、Ｎ個のグループのグループ化された信号に分割するよう構成されることは、
上記Ｎ個のグループのグループ化された信号を取得するべく、上記１つのダウンリンク共通チャンネル信号により占有されるサブキャリアの数に従って、上記１つのダウンリンク共通チャンネル信号に対して周波数領域分割を実行することを含む、
項目１から４のいずれか一項に記載の装置。
（項目６）
上記信号分割ユニットが、上記複数のダウンリンク共通チャンネル信号における１つのダウンリンク共通チャンネル信号を、Ｎ個のグループのグループ化された信号に分割するよう構成されることは、
上記１つのダウンリンク共通チャンネル信号に対して位相偏向をＮ回実行することを含み、ここで、毎回位相偏向を実行した後に取得されるダウンリンク共通チャンネル信号が、１つのグループのグループ化された信号として用いられ、これにより、上記Ｎ個のグループのグループ化された信号を取得する、
項目１から４のいずれか一項に記載の装置。
（項目７）
上記第２重み付け信号に対して、アナログ化処理を実行し、取得されたアナログ信号を上記伝送ユニットに送信するよう構成されるデジタル／アナログ変換ユニットをさらに備える項目１から６に記載の装置。
（項目８）
複数のダウンリンク共通チャンネル信号を有するダウンリンク信号を伝送するよう構成される信号伝送装置であって、上記信号伝送装置は、メモリと、プロセッサと、伝送回路とを備え、上記伝送回路は、並列するｋ個の無線周波数経路を有し、ｋは、無線周波数経路の数を表しており、かつ、ｋ≧２であり、
上記メモリは、上記プロセッサが複数の動作を実行することを可能にする複数の命令を格納するよう構成され、上記複数の動作は、上記複数のダウンリンク共通チャンネル信号における１つのダウンリンク共通チャンネル信号を、Ｎ個のグループのグループ化された信号に分割することであって、Ｎはグループ化された信号のグループの数を表しており、かつ、Ｎ≧２であること、Ｎ個の第１重み付け信号を生成するべく、上記グループ化された信号における各グループのグループ化された信号に対応する重みベクトルに従って、上記グループのグループ化された信号に対して、信号重み付けを実行することであって、上記重みベクトルは、各グループのグループ化された信号の複数の振幅及び複数の位相を調整するために用いられ、これにより、複数の上記第１重み付け信号が広ビーム形成条件を満たすこと、第２重み付け信号を取得するべく、上記Ｎ個のグループのグループ化された信号に対応する上記Ｎ個の第１重み付け信号を合成すること、及び、上記第２重み付け信号を伝送することである、
装置。
（項目９）
上記重みベクトルは、上記ｋ個の無線周波数経路に対応する複数の成分を含み、上記メモリは、上記ｋ個の無線周波数経路に対応するｋ本のチャンネルの第１重み付けサブ信号を含むＮ個の第１重み付け信号を生成する動作を上記プロセッサが実行することを可能にする命令を格納するようさらに構成される、項目８に記載の装置。
（項目１０）
上記メモリは、上記ｋ本のチャンネルの第１重み付けサブ信号が少なくとも１本のチャンネルの有効第１重み付けサブ信号を含み、上記有効第１重み付けサブ信号が有効成分を含み、上記有効成分が上記重みベクトルにおけるゼロ以外の成分又は予め設定された閾値より大きい成分を含む動作を上記プロセッサが実行することを可能にする命令を格納するようさらに構成される、
項目９に記載の装置。
（項目１１）
上記無線周波数経路は、上記第２重み付け信号に含まれる第２重み付けサブ信号を転送するよう構成される、項目８から１０のいずれか一項に記載の装置。
（項目１２）
上記メモリは、上記Ｎ個のグループのグループ化された信号を取得するべく、各ダウンリンク共通チャンネル信号により占有されるサブキャリアの数に従って、上記１つのダウンリンク共通チャンネル信号に対して、周波数領域分割を実行する動作を上記プロセッサが実行することを可能にする命令を格納するようさらに構成される、項目８から１１のいずれか一項に記載の装置。
（項目１３）
上記メモリは、上記１つのダウンリンク共通チャンネル信号に対して、位相偏向をＮ回実行する動作を上記プロセッサが実行することを可能にする命令を格納するようさらに構成され、ここで、毎回位相偏向を実行した後に取得されるダウンリンク共通チャンネル信号が、１つのグループのグループ化された信号として用いられ、これにより、上記Ｎ個のグループのグループ化された信号を取得する、項目９から１１のいずれか一項に記載の装置。
（項目１４）
上記第２重み付け信号に対してアナログ化処理を実行し、取得されたアナログ信号を上記伝送回路に送信するよう構成されるデジタル／アナログ信号コンバータをさらに備える項目９から１３のいずれか一項に記載の装置。
（項目１５）
ユーザ機器であって、
基地局により送信される第２重み付け信号を受信するよう構成される受信ユニットであって、上記第２重み付け信号は、Ｎ個の第１重み付け信号を合成することによって取得され、上記Ｎ個の第１重み付け信号は、Ｎ個のグループのグループ化された信号に対応し、上記Ｎ個のグループのグループ化された信号は、複数のダウンリンク共通チャンネル信号における１つのダウンリンク共通チャンネル信号を分割することによって取得され、Ｎはグループ化された信号のグループの数を表しており、かつ、Ｎ≧２であり、上記Ｎ個の第１重み付け信号は、上記Ｎ個のグループのグループ化された信号における各グループのグループ化された信号に対応する重みベクトルに従って、上記重みベクトルに対応する上記グループのグループ化された信号に対して、信号重み付けを実行することによって取得され、上記重みベクトルは、各グループのグループ化された信号の複数の振幅及び複数の位相を調整するために用いられ、これにより、上記第１重み付け信号は広ビーム形成条件を満たす、受信ユニットと、
上記第２重み付け信号により保持されるシステム情報を取得する処理ユニットと
を備える
ユーザ機器。
（項目１６）
ユーザ機器であって、
基地局により送信される第２重み付け信号を受信するよう構成される受信機であって、上記第２重み付け信号は、Ｎ個の第１重み付け信号を合成することによって取得され、上記Ｎ個の第１重み付け信号はＮ個のグループのグループ化された信号に対応し、上記Ｎ個のグループのグループ化された信号は、複数のダウンリンク共通チャンネル信号における１つのダウンリンク共通チャンネル信号を分割することによって取得され、Ｎはグループ化された信号のグループの数を表しており、かつ、Ｎ≧２であり、上記Ｎ個の第１重み付け信号は、上記Ｎ個のグループのグループ化された信号における各グループのグループ化された信号に対応する重みベクトルに従って、上記重みベクトルに対応する上記グループのグループ化された信号に対して、信号重み付けを実行することによって取得され、上記重みベクトルは、各グループのグループ化された信号の複数の振幅及び複数の位相を調整するために用いられ、これにより、上記第１重み付け信号は広ビーム形成条件を満たす、受信機と、
上記ダウンリンク信号により保持されるシステム情報を取得するプロセッサと
を備える
ユーザ機器。
（項目１７）
マルチアンテナシステムに適用されるダウンリンク信号伝送方法であって、
上記マルチアンテナシステムは、並列するｋ個の無線周波数経路を含み、ｋは、無線周波数経路の数を表しており、かつ、ｋ≧２であり、
上記方法は、ダウンリンク信号を伝送するために用いられ、上記ダウンリンク信号は、複数のダウンリンク共通チャンネル信号を含み、上記方法は、
上記複数のダウンリンク共通チャンネル信号における１つのダウンリンク共通チャンネル信号を、Ｎ個のグループのグループ化された信号に分割する段階であって、Ｎはグループ化された信号のグループの数を表しており、かつ、Ｎ≧２である、段階と、
Ｎ個の第１重み付け信号を生成するべく、上記Ｎ個のグループのグループ化された信号における各グループのグループ化された信号に対応する重みベクトルに従って、上記グループのグループ化された信号に対して、信号重み付けを実行する段階であって、上記重みベクトルは、各グループのグループ化された信号の複数の振幅及び複数の位相を調整するために用いられ、これにより、上記Ｎ個の第１重み付け信号は広ビーム形成条件を満たす、段階と、
第２重み付け信号を取得するべく、上記Ｎ個のグループのグループ化された信号に対応する上記Ｎ個の第１重み付け信号を合成する段階と、
上記第２重み付け信号を伝送する段階と
を備える
方法。
（項目１８）
上記重みベクトルは、上記ｋ個の無線周波数経路に対応する複数の成分を含み、複数の第１重み付け信号を生成する上記段階は、上記ｋ個の無線周波数経路に対応するｋ本のチャンネルの第１重み付けサブ信号を含むＮ個の第１重み付け信号を生成する段階を含む、項目１７に記載の方法。
（項目１９）
上記ｋ個の無線周波数経路に対応するｋ本のチャンネルの第１重み付けサブ信号を含むＮ個の第１重み付け信号を生成する上記段階は、
上記ｋ本のチャンネルの第１重み付けサブ信号が少なくとも１本のチャンネルの有効第１重み付けサブ信号を含み、上記有効第１重み付けサブ信号は、有効成分を含み、上記有効成分は、上記重みベクトルにおけるゼロ以外の成分又は予め設定された閾値より大きい成分を含む段階を含む、
項目１８に記載の方法。
（項目２０）
上記第２重み付け信号を伝送する上記段階は、
対応する無線周波数経路を用いることによって、上記第２重み付け信号に含まれる第２重み付けサブ信号を転送する段階を含む、
項目１７から１９のいずれか一項に記載の方法。
（項目２１）
上記複数のダウンリンク共通チャンネル信号における１つのダウンリンク共通チャンネル信号を、Ｎ個のグループのグループ化された信号に分割する上記段階は、
上記Ｎ個のグループのグループ化された信号を取得するべく、上記１つのダウンリンク共通チャンネル信号に占有されるサブキャリアの数に従って、上記１つのダウンリンク共通チャンネル信号に対して、周波数領域分割を実行する段階を含む、
項目１７から２０のいずれか一項に記載の方法。
（項目２２）
上記複数のダウンリンク共通チャンネル信号における１つのダウンリンク共通チャンネル信号を、Ｎ個のグループのグループ化された信号に分割する上記段階は、
上記１つのダウンリンク共通チャンネル信号に対して、位相偏向をＮ回実行する段階であって、毎回位相偏向を実行した後に取得されるダウンリンク共通チャンネル信号が１つのグループのグループ化された信号として用いられ、これにより、上記Ｎ個のグループのグループ化された信号を取得する、段階を含む、
項目１７から２０のいずれか一項に記載の方法。
（項目２３）
上記第２重み付け信号を伝送する上記段階の前に、上記第２重み付け信号に対して、アナログ化処理を実行する段階をさらに備える項目１７から２２のいずれか一項に記載の方法。
【図１】
0006305562.tif 000005
【図２】
0006305562.tif 000006
【図３】
0006305562.tif 000007
【図４】
0006305562.tif 000008
【図５】
0006305562.tif 000009
【図６】
0006305562.tif 000010